(57)【特許請求の範囲】
【請求項１】
発光部材と、凹凸が設けられたレンズ部材とを有しており、発光部材が発した光を、レンズ部材の凹凸によって乱反射させた後に外部に照射する発光装置が設置された遊技機であって、
前記発光装置において、前記レンズ部材が、長尺な柱状体で、その裏面の長手方向に沿って該長手方向と直交方向へ多数の溝を刻設した凹凸形成面が設けられたもので、該レンズ部材を同一面に複数並設するとともに、各前記レンズ部材の長手方向端部に第一の発光部材を、前記レンズ部材の裏面側に第二の発光部材を夫々設置して、前記第一の発光部材は前記凹凸形成面の法線と直交する方向から、前記第二の発光部材は前記レンズ部材の裏面側からそれぞれ発光させる一方、
内部に前記第一の発光部材を取り付け可能な複数の筒状体を、前記第一の発光部材に電気的接続される端子を嵌合接続可能な端子嵌合部を有する板状の支持片から一体的に突設し、各前記筒状体の先端が各前記レンズ部材の長手方向端部に隣接する姿勢にて設置したことを特徴とする遊技機。
【請求項２】
発光装置のレンズ部材を、曲面状の第一部材と、凹凸形成面が設けられた第二部材とを合着してなるものとしたことを特徴とする請求項１に記載の遊技機。
【請求項３】
第一の発光部材が２個以上設けられており、互いに異なる色で発光することを特徴とする請求項１、または請求項２に記載の遊技機。
【請求項４】
発光装置の第一の発光部材による照射方向が、機台の前面と略平行になっていることを特徴とする請求項１〜３のいずれかに記載の遊技機。
【請求項５】
所定条件の充足によって、通常の遊技状態とは異なる特定の遊技状態が生起し、前記通常の遊技状態中には、第一の発光部材、第二の発光部材の内の片方が発光し、前記特定の遊技状態中には、他方が発光することを特徴とする請求項１〜４のいずれかに記載の遊技機。
【請求項６】
通常時には、第一の発光部材、第二の発光部材の内の片方が発光し、作動エラー発生時には、他方が発光することを特徴とする請求項１〜５のいずれかに記載の遊技機。
【発明の詳細な説明】
【０００１】
【発明の属する技術分野】
本発明は、パチンコ機、スロットマシーン等の遊技機に関するものである。
【０００２】
【従来の技術】
パチンコ機に設置する発光装置として、発光部材が発した光を、レンズ部材を介して高い輝度で外部に照射するレンズ付き発光装置が知られている。図８は、従来のレンズ付き発光装置を示したものである。発光装置５１は、入賞検出センサ５２の周囲を囲うように略コ字状のレンズ部材５３が設けられており、レンズ部材５３の前面部分５７の裏側には、凹凸５４、５４・・が形成されている。また、レンズ部材５３の左右両端縁の後方には、発光ダイオード５５，５５が設置されている。そして、発光ダイオード５５，５５の光を、レンズ部材５３の屈曲部分に設けられた反射面５６，５６で反射させた後に、レンズ部材５３の凹凸５４，５４・・により乱反射させることによって、レンズ部材５３の前面部分５７の前方へ照射するようになっている。
【０００３】
【発明が解決しようとする課題】
しかしながら、上記従来の発光装置５１は、発光ダイオード５５，５５の光がレンズ部材５３の屈曲部分で思うように反射しないため、レンズ部材５３の前面部分５７がほとんど発光せず、輝度が非常に低い、という不具合がある。加えて、発光ダイオードが単色で発光するにすぎないため、パチンコ機に搭載した場合には、発光演出が面白みに欠けるものとなってしまう。
【０００４】
本発明の目的は、上記従来の発光装置５１が有する問題点を解消し、高い輝度で発光するとともに、バラエティーに富んだ発光演出を奏し得る発光装置が搭載されており、非常に趣向性の高い遊技機を提供することにある。
【０００５】
【課題を解決するための手段】
かかる本発明の構成のうち、請求項１に記載された発明の構成は、発光部材と、凹凸が設けられたレンズ部材とを有しており、発光部材が発した光を、レンズ部材の凹凸によって乱反射させた後に外部に照射する発光装置が設置された遊技機であって、前記発光装置において、前記レンズ部材が、長尺な柱状体で、その裏面の長手方向に沿って該長手方向と直交方向へ多数の溝を刻設した凹凸形成面が設けられたもので、該レンズ部材を同一面に複数並設するとともに、各前記レンズ部材の長手方向端部に第一の発光部材を、前記レンズ部材の裏面側に第二の発光部材を夫々設置して、前記第一の発光部材は前記凹凸形成面の法線と直交する方向から、前記第二の発光部材は前記レンズ部材の裏面側からそれぞれ発光させる一方、内部に前記第一の発光部材を取り付け可能な複数の筒状体を、前記第一の発光部材に電気的接続される端子を嵌合接続可能な端子嵌合部を有する板状の支持片から一体的に突設し、各前記筒状体の先端が各前記レンズ部材の長手方向端部に隣接する姿勢にて設置したことにある。
請求項２に記載された発明の構成は、請求項１に記載された発明において、発光装置のレンズ部材を、曲面状の第一部材と、凹凸形成面が設けられた第二部材とを合着してなるものとしたことにある。
請求項３に記載された発明の構成は、請求項１、または請求項２に記載された発明において、第一の発光部材が２個以上設けられており、互いに異なる色で発光することにある。
請求項４に記載された発明の構成は、請求項１〜３のいずれかに記載された発明において、発光装置の第一の発光部材による光の照射方向が、機台の前面と略平行になっていることにある。
請求項５に記載された発明の構成は、請求項１〜４のいずれかに記載された発明において、所定条件の充足によって、通常の遊技状態とは異なる特定の遊技状態が生起し、前記通常の遊技状態中には、第一の発光部材、第二の発光部材の内の片方が発光し、前記特定の遊技状態中には、他方が発光することにある。
請求項６に記載された発明の構成は、請求項１〜５のいずれかに記載された発明において、通常時には、第一の発光部材、第二の発光部材の内の片方が発光し、作動エラー発生時には、他方が発光することにある。
【０００６】
【発明の実施の形態】
以下、本発明の発光装置を搭載した遊技機の一実施形態であるパチンコ機を、図面に基づいて詳細に説明する。
【０００７】
図１〜図５は、発光装置を示したものである。発光装置３１は、フレーム部材１、レンズ部材２、カバー部材３ａ，３ｂ、端子４，４、ホルダ部材５ａ，５ｂ、裏側発光部６等によって組み立て形成されている。
【０００８】
フレーム部材１は、合成樹脂によって略弓状に形成されている。そして、ベース板３３の中央に、カーブした帯状の透光窓１０が穿設されており、その透光窓１０の左右両側に、ガイド板９ａ，９ｂが一体的に立設されている。また、２つのガイド板９ａ，９ｂを繋ぐように、支持板１１，１１・・が一体的に立設されており、それらの支持板１１，１１・・には、それぞれ、略半円状の３つの係合溝１２，１２・・が刻設されている。さらに、ベース板３３の上下端縁際には、それぞれ、リード線挿通孔２４ａ，２４ｂが穿設されており、それらのリード線挿通孔２４ａ，２４ｂの内側には、それぞれ、支持突起１３ａ，１３ｂが立設されている。また、ベース板３３の周囲には、ネジ孔１９，１９・・、およびネジ孔３４，３４・・が穿設されている。一方、ベース板３３の裏面には、タブ２０，２０・・が立設されている。
【０００９】
一方、レンズ部材２は、合成樹脂（透明性の高いポリアクリル樹脂）によって一体的に形成されており、弓状にカーブした長尺な円柱状の３つの光路形成体１８，１８・・が同一面に並んだ状態になっている。そして、各光路形成体１８，１８・・の裏面側には、無数の凹状溝２３，２３・・が各光路形成体１８，１８・・の長手方向と直交するように等間隔で規則正しく設けられていることによって、凹凸が形成されている。
【００１０】
また、ホルダ部材５ａ，５ｂは、不透明な合成樹脂によって一体的に形成されている。そして、略長方形状の支持片１４の表側に、３つの筒状体１７，１７・・が横方向に連続するように突設されており、それらの各筒状体１７，１７・・の内部には、それぞれ、第一の発光部材である青色のＬＥＤ１５、赤色のＬＥＤ１５、緑色のＬＥＤ１５が取り付けされている。一方、略長方形状の支持片１４の裏側には、端子嵌合部１６が筒状に突設されており、その端子嵌合部１６の内部において、ＬＥＤ１５，１５・・の端子線が露出した状態になっている。そして、各ホルダ部材５ａ，５ｂの端子嵌合部１６には、それぞれ端子４が嵌合接続されている。
【００１１】
また、各カバー部材３ａ，３ｂは、不透明な合成樹脂によって、下面を開口させた中空な箱状に一体的に形成されており、それぞれの内側の面に、略半円状の３つの係合溝３５，３５・・が刻設されている。
【００１２】
さらに、裏側発光部６は、合成樹脂によってカーブした長方形状に形成されたベース基板７の上面に、第二の発光部材である複数のＬＥＤ８，８・・が立設されており、それらのＬＥＤ８，８・・が、略格子状に規則正しく並んだ状態になっている。
【００１３】
発光装置３１は、フレーム部材１の各支持板１１，１１・・の各係合溝１２，１２・・に、レンズ部材２の各光路形成体１８，１８・・を係合させ、各ホルダ部材５ａ，５ｂを、それぞれ、フレーム部材１の支持突起１３ａ，１３ｂに螺着し、各ホルダ部材５ａ，５ｂに接続された端子４，４の各リード線２５，２５を、フレーム部材１のリード線挿通孔２４ａ，２４ｂからフレーム部材１の裏側に導出し、その状態で、係合溝３５，３５・・をレンズ部材２の上端縁際の表面と係合させたカバー部材３ａ，３ｂを、フレーム部材１に螺着し、さらに、裏側発光部６のベース基板７のネジ孔２２，２２・・穿設部分を、フレーム部材１の裏面のタブ２０，２０・・に螺着することによって、一体的に組み立てられている。このように組み立てられた発光装置３１においては、レンズ部材２の各光路形成体１８，１８・・の上下両端縁に、各ホルダ部材５ａ，５ｂの各筒状体１７，１７・・の先端（開口部分）が隣接し、レンズ部材２の裏側に、裏側発光部のＬＥＤ８，８・・が隣接した状態になっている。
【００１４】
かかる発光装置３１においては、各ホルダ部材５ａ，５ｂに接続された各端子４，４の各リード線２５，２５を介して青色、赤色、緑色のＬＥＤ１５，１５・・に電源を供給した場合には、それらのＬＥＤ１５，１５・・が青色、赤色、緑色に発光し、それらの青色、赤色、緑色の光が、筒状体１７，１７・・によって精度良く偏向された後に、レンズ部材２内の上下から各光路形成体１８，１８・・に入り込む。各光路形成体１８，１８・・内に入り込んだ青色、赤色、緑色の光は、図６（ａ）の如く、各光路形成体１８，１８・・の裏面に設けられた凹状溝２３，２３・・によって様々な角度に乱反射した後に、各光路形成体１８，１８・・と外部との界面において屈折した後に、各光路形成体１８，１８・・の表面において種々の方向へと散乱する。
【００１５】
また、裏側発光部６のベース基板７上に設置されたＬＥＤ８，８・・に電源を供給した場合には、それらのＬＥＤ８，８・・が発光し、それらの光が、レンズ部材２の裏側から各光路形成体１８，１８・・に入り込み、図６（ｂ）の如く、各光路形成体１８，１８・・の裏面に設けられた凹状溝２３，２３・・によって様々な角度に乱反射した後に、各光路形成体１８，１８・・と外部との界面において屈折した後に、各光路形成体１８，１８・・の表面において種々の方向へと散乱する。
【００１６】
発光装置３１は、上記の如く、レンズ部材２の凹状溝２３，２３・・形成面の法線と直交する方向（すなわち、レンズ部材２の側方）からＬＥＤ１５，１５・・が光を発するため、ＬＥＤ１５，１５・・が発光する際に、発光した光の内の多くが凹状溝２３，２３・・に当たり、それらの光が凹状溝２３，２３・・によって種々の方向に乱反射するので、看者には、各光路形成体１８，１８・・が、非常に明るく発光し、カットされたダイヤモンドのように高い輝度できらきらと輝いているように見える。
【００１７】
また、発光装置３１は、レンズ部材２の裏面に凹状溝２３，２３・・が形成されているとともに、レンズ部材２の表面が曲面状になっているため、ＬＥＤ１５，１５・・が発光する際に、凹状溝２３，２３・・によって乱反射した光が、レンズ部材の表面によって、より広い角度に亘って散乱するので、ＬＥＤ１５，１５・・の発光時の輝度が非常に大きい。
【００１８】
さらに、発光装置３１は、第一発光部材として３つのＬＥＤ１５，１５・・が設置されているとともに、それらのＬＥＤ１５，１５・・が、青色、赤色、緑色に発光するものであるため、発光演出の態様がきわめてバラエティーに富んだものとなっている。
【００１９】
加えて、発光装置３１は、レンズ部材２の裏面側に第二の発光部材であるＬＥＤ８，８・・が設置されており、レンズ部材２の裏面側からそれらのＬＥＤ８，８・・が光を発するものであるため、ＬＥＤ８，８・・が発光する際に、発光した光の内の多くが凹状溝２３，２３・・に当たり、それらの光が凹状溝２３，２３・・によって光が種々の方向に散乱するので、看者には、各光路形成体１８，１８・・が、明るく発光しているとともに、高い輝度で輝いているように見える。また、そのＬＥＤ８，８・・による輝度の高い散乱光と、第一の発光部材であるＬＥＤ１５，１５・・による輝度の高い散乱光とを組み合わせることにより、一層多彩な発光演出をすることができる。
【００２０】
一方、図７は、発光装置３１を遊技機の一種であるパチンコ機に搭載した一例を示したものである。パチンコ機２６の前面の遊技盤３２の盤面には、図柄表示装置２７、普通電動役物２８、大入賞口２９等の入賞装置等が設置されているとともに、多数の障害釘が植設されている。そして、発射された遊技球を遊技盤３２の盤面上に導くためのレール部材３０，３０の内側に、２つの発光装置３１，３１が略左右対称となるように設置されている。
【００２１】
かかるパチンコ機２６においては、普通電動役物２８に遊技球が入賞すると、図柄表示装置２７に表示された図柄が変動するようになっており、図柄表示装置２７に特定の図柄（たとえば、「７，７，７」）が表示された場合には、通常の遊技状態とは異なる特定の遊技状態である大当たり状態が生起し、大入賞口２９が断続的に開成するようになっている。そして、通常の遊技状態においては、各入賞装置に遊技球が入賞する毎に各発光装置３１，３１の裏側発光部に設置されたＬＥＤ８，８・・が一斉に点灯し、大当たり状態が発生した場合のみに、各発光装置３１，３１の各ホルダ部材５ａ，５ｂに内蔵されたＬＥＤ１５，１５・・が一斉に、およびリレー式に点灯・点滅するようになっている。
【００２２】
パチンコ機２６は、上記の如く、発光装置３１，３１が設置されており、発光装置３１，３１のＬＥＤ（第一の発光部材）１５，１５・・の光が各光路形成体１８，１８・・の内部を進む際に凹状溝２３，２３・・によって散乱するので、発光装置３１，３１による発光演出が派手やかである。
【００２３】
また、パチンコ機２６は、発光装置３１，３１のＬＥＤ（第一の発光部材）１５，１５・・による光の照射方向が、遊技盤３２の盤面と略平行になっているため、ＬＥＤ１５，１５・・の光が各光路形成体１８，１８・・の内部を長い距離に亘って進むとともに、凹状溝２３，２３・・によって遊技者の方向へ多く散乱するので、従来のパチンコ機のように、遊技盤面の広い領域に亘って多くのＬＥＤが設置されていないにも拘わらず（すなわち、ＬＥＤ１５，１５・・の設置個数が非常に少ないにも拘わらず）、発光装置３１，３１による発光演出が非常に明るく、華やかなイメージを醸し出すことができる。加えて、ＬＥＤ１５，１５・・の設置個数が非常に少ないため、製造コストも安価である。一方、青色、赤色、緑色のＬＥＤ１５，１５・・が、一斉に、およびリレー式に発光するため、発光演出がカラフルであり、非常に趣向性に富んでいる。
【００２４】
さらに、パチンコ機２６は、通常の遊技状態中には、第二の発光部材であるＬＥＤ８，８・・が発光し、大当たり状態中のみに、第一の発光部材であるＬＥＤ１５，１５・・が発光するため、遊技者や周囲の者に、大当たり状態が発生したことを瞬時に明瞭に認識させることができる。
【００２５】
なお、本発明の発光装置の構成は、上記実施形態の態様に何ら限定されるものではなく、フレーム部材、レンズ部材、カバー部材、ホルダ部材、裏側発光部等の形状・構造等の構成を、本発明の趣旨を逸脱しない範囲で、必要に応じて適宜変更できる。また、発光装置を搭載する遊技機の構成も、上記実施形態の態様に何ら限定されるものではなく、遊技盤、図柄表示装置、普通電動役物、大入賞口、レール部材等の形状・構造等の構成を、本発明の趣旨を逸脱しない範囲で、必要に応じて適宜変更できる。
【００２６】
たとえば、レンズ部材は、弓形にカーブした円柱状の光路形成体を横方向に連設した弓形のものに限定されず、単純な直方体形状のもの、単純な円柱状のもの等でも良い。また、レンズ部材の材質は、アクリル樹脂に限定されず、高い透明性を有するものであれば、他の合成樹脂やガラス等でも良い。さらに、レンズ部材は、一体的に形成されたものに限定されず、曲面状の第一部材と凹凸が形成された第二部材とが合着されたもの等でも良い。かかる如く、レンズ部材を曲面状の第一部材と凹凸が形成された第二部材とが合着されたものに変更した場合には、第二部材を異なる凹凸を有するものに交換するだけで、レンズ部材の凹凸形状を容易に変更することができ、発光装置を設置する遊技機の機種に応じて、発光演出を容易に変更することができる、というメリットがある。その上、金型によるレンズ部材の成形が容易なものとなる、というメリットもある。加えて、レンズ部材に凹凸を設ける方法は、上記実施形態の如き、略平行なＶ字状溝を設ける方法に限定されず、格子状の溝を設ける方法や、散点状の凹部および／または凸部を規則的あるいはランダムに設ける方法でも良い。なお、凹凸を規則正しく設けた場合には、散乱光の輝度が高いものとなる、というメリットがある。
【００２７】
一方、第一の発光部材の設置個数は、３個に限定されず、２個以下でも良いし、４個以上でも良い。また、発光部材は、青色、赤色、緑色に発光するものに限定されず、他の色に発光するものでも良い。さらに、第一の発光部材、第二の発光部材の種類は、ＬＥＤに限定されず、フィラメントタイプの電球や、蛍光管等でも良い。
【００２８】
また、発光部材を搭載する遊技機は、パチンコ機に限定されず、スロットマシーン、テレビゲーム等でも良い。加えて、遊技機は、第一の発光部材・第二の発光部材の点灯・点滅によって大当たり状態の発生の有無を周囲に報知するものに限定されず、所定条件を充足した場合に通常よりも高い確率で大当たり状態を生起させる高確率状態が発生するとともに、第一の発光部材・第二の発光部材の点灯・点滅によって、その高確率状態の発生の有無を周囲に報知するものや、所定条件を充足した場合に通常よりも図柄表示部における図柄の変動時間が短くなる変動短縮状態が生起するとともに、第一の発光部材・第二の発光部材の点灯・点滅によって、その変動短縮状態の発生の有無を周囲に報知するもの等でも良い。加えて、遊技機は、通常時には、第一の発光部材・第二の発光部材の内のいずれか片方が発光し、作動エラーが発生した場合に限って、他方が発光するように構成したものでも良い。かかる構成を採用した場合には、遊技機は、作動エラーが発生したことを遊技者や周囲の者に瞬時に明瞭に認識させることができるものとなる。加えて、発光部材の設置位置も、遊技盤面に限定されず、パチンコ機の周囲を覆う機枠等に変更することも可能である。
【００２９】
【発明の効果】
請求項１に記載された遊技機によれば、発光装置において、レンズ部材を長尺な柱状体とし、その裏面の長手方向に沿って、該長手方向と直交方向へ多数の溝を刻設して凹凸形成面を設けるとともに、レンズ部材の長手方向端部に第一の発光部材を設置して、第一の発光部材がレンズの凹凸形成面の法線と直交する方向から光を発するようにしているため、発光部材が発光する際に、発光した光の内の多くがレンズの凹凸に当たり、それらの光がレンズに凹凸よって種々の方向に乱反射するので、看者には、レンズ部材が明るく発光し、高い輝度で輝いているように見える。
また、発光装置においてレンズ部材の裏面側に第二の発光部材を設置しているため、その第二の発光部材による輝度の高い散乱光と、第二の発光部材による輝度の高い散乱光とを組み合わせることによって、一層多彩な発光演出をすることができる。
さらに、上述したような第一の発光部材及び第二の発光部材が設置されてなる発光装置を備えることで、発光演出が派手やかであり、趣向性に富んだ遊技機とすることができる。
加えて、内部に夫々第一の発光部材が取り付けられた各筒状体の先端を、各レンズ部材の長手方向端部に夫々隣接させて設置しているため、各第一の発光部材が発する光を、精度良く偏向した後にレンズ部材内へと導くことができる。
【００３０】
請求項２に記載された遊技機は、発光装置のレンズ部材を、曲面状の第一部材と、凹凸形成面が設けられた第二部材とを合着してなるものとしているため、第二部材を異なる凹凸を有するものに交換するだけで、レンズ部材の凹凸形状を容易に変更することができ、発光装置を設置する遊技機の機種等に応じて、発光演出を容易に変更することができる上、金型によるレンズ部材の成形が容易となる。
また、第一部材の表面が曲面状になっているため、第一の発光部材が発光する際に、第二部材の凹凸によって乱反射した光が、第一部材の表面によって、より非常に広い角度に亘って散乱するので、第一の発光部材の発光時の輝度が非常に大きい。
【００３１】
請求項３に記載された遊技機は、発光装置に第一の発光部材が２個以上設けられており、異なる色で発光するため、発光演出の態様がきわめてバラエティーに富んでいる。
【００３４】
請求項４に記載された遊技機は、発光装置の第一の発光部材による光の照射方向が、機台の前面と略平行になっているため、第一の発光部材の光がレンズ部材の内部を長い距離に亘って進むとともに、凹凸によって遊技者の方向へ多く散乱するので、発光部材の設置個数が非常に少なく安価に製造できるにも拘わらず、発光装置による発光演出が非常に明るく、華やかなイメージを醸し出すことができる。
【００３５】
請求項５に記載された遊技機は、所定条件の充足によって、通常の遊技状態とは異なる特定の遊技状態が生起し、通常の遊技状態中には、第一の発光部材、第二の発光部材の内の片方が発光し、特定の遊技状態中には、他方が発光するため、遊技者や周囲の者に、特定の遊技状態が発生したことを瞬時に明瞭に認識させることができる。
【００３６】
請求項６に記載された遊技機は、通常時には、第一の発光部材、第二の発光部材の内の片方が発光し、作動エラー発生時には、他方が発光するため、遊技者や周囲の者に、作動エラーが発生したことを瞬時に明瞭に認識させることができる。
【図面の簡単な説明】
【図１】発光装置の正面図である。
【図２】図１におけるＡ−Ａ線断面図である。
【図３】発光装置の前方斜視図である。
【図４】発光装置の部分分解斜視図である。
【図５】発光装置の分解斜視図である。
【図６】レンズ部材内を光が進む様子を示す説明図である。
【図７】発光装置を搭載したパチンコ機の正面図である。
【図８】従来の発光装置を示す斜視図である。
【符号の説明】
１・・フレーム部材、２・・レンズ部材、８・・ＬＥＤ（第二の発光部材）、４・・端子、１５・・ＬＥＤ（第一の発光部材）、１８・・光路形成体、２３・・凹状溝（凹凸）、２６・・パチンコ機、３１・・発光装置、３２・・遊技盤。
【図１】
0004307758.tif 000002
【図２】
0004307758.tif 000003
【図３】
0004307758.tif 000004
【図４】
0004307758.tif 000005
【図５】
0004307758.tif 000006
【図６】
0004307758.tif 000007
【図７】
0004307758.tif 000008
【図８】
0004307758.tif 000009